(57)【要約】【課題】  腸内洗浄を１人で容易に行えるようにする。【解決手段】  肛門洗浄ノズルと温水タンクと温水タンクの温水を肛門洗浄ノズルへ供給制御する温水供給制御部とを備えた温水洗浄便座において、肛門に挿入する腸内洗浄ノズル９をホース８の先端に取り付け、ホース８の基端を温水供給制御部の吐出部５ｂにカップリング９ｂで脱着自在に接続し、温水供給制御部に各ノズルへの温水供給の切換手段を設け、腸内洗浄ノズル９で温水Ｗを直腸Ａへ注入して排便を促進できるようにした。【選択図】          図５
0003113425.tif 000002
【実用新案登録請求の範囲】
【請求項１】
肛門洗浄ノズルと温水タンクと同温水タンク内の温水を肛門洗浄ノズルへ供給する温水供給路とを備えた温水洗浄便座において、温水供給路に分岐路を設け、肛門に挿入する腸内洗浄ノズルを可撓性を有するホースの先端に設け、ホースの後端を前記分岐路にカップリングで脱着自在に接続し、温水供給路に肛門洗浄ノズルと腸内洗浄ノズルへの温水供給の切換手段を設け、腸内洗浄ノズルを肛門に挿入して温水を直腸へ注入して腸内を洗浄できるようにしたことを特徴とする、腸内洗浄装置付き温水洗浄便座。
【請求項２】
肛門に挿入する腸内物排出ノズルを可撓性を有するホースの先端に設け、ホースの後端とカップリングを介して脱着自在に接続する腸内物吸引用の吸引ポンプを設け、吸引ポンプで吸引した腸内物を便器へ排出する排出路を設けた、請求項１記載の腸内洗浄装置付き温水洗浄便座。
【請求項３】
腸内洗浄ノズルと腸内物排出ノズルの外周に挿入深さを規制する拡径したストッパを形成した、請求項２記載の腸内洗浄装置付き温水洗浄便座。
【請求項４】
腸内洗浄ノズルのホースの途中を切換弁付きの二又具で分岐させ、分岐路にカップリングを備えた別体の可撓性のホースを設け、分岐した他方のホースをカップリングで吸引ポンプに接続し、一方のホースで温水を腸内洗浄ノズルへ供給し、他方のホースで腸内物を吸引ポンプの吸引力で排出し、腸内洗浄ノズルを腸内物排出ノズルとして兼用できるようにした、請求項２又は３記載の腸内洗浄装置付き温水洗浄便座。
【請求項５】
腸内洗浄ノズル又は腸内物排出ノズルを上向きに掛止するための掛止凹所が形成された便座に載置できる長さの補助プレートを設け、いずれかのノズルを掛止した補助プレートを便座上に載置して補助プレート上に着座して肛門にノズルを挿入できるようにした、請求項２〜４いずれか記載の腸内洗浄装置付き温水洗浄便座。
【考案の詳細な説明】
【技術分野】
【０００１】
本考案は、直腸に温水を注入して宿便や腸壁の老廃物を洗い出す腸内洗浄装置付き温水洗浄便座に関する。
【背景技術】
【０００２】
従来、腸内洗浄機能を備えた温水洗浄便座が特許文献１で提案されている。この技術は、出没可能に構成されたおしり洗浄用ノズルと温水貯留部及び温水貯留部からおしり洗浄用ノズルに温水を制御しつつ供給する制御機構を備えた温水洗浄便座において、ノズル本体を出没可能に構成し便座に着座した使用者の肛門に当接する位置までノズル孔が到達するように構成した浣腸用ノズルと、浣腸用ノズルに温水を供給する温水貯留部と、温水貯留部から浣腸用ノズルに所定量の温水を制御しつつ供給する定量給湯装置を備えている。
【０００３】
ところで、前記技術では浣腸用ノズルの動きが所定範囲に制限され、使用者の体形や便座への着座位置によっては挿入位置が合わず、使いにくいものであった。また、温水を腸内に注入することで排便を促すものであるが、排便力が低い人では充分に排便が行なわれず、逆に温水が腸内に残って洗浄効果が不十分となる問題があった。
【特許文献１】特開平８−６０７２６号公報
【考案の開示】
【考案が解決しようとする課題】
【０００４】
本考案が解決しようとする課題は、従来のこれらの問題点を解消し、ノズルを任意の位置で挿入して容易且つ楽に処置でき、しかも排便力が低い人でも排出を確実に行える腸内洗浄装置付き温水洗浄便座を提供することにある。
【課題を解決するための手段】
【０００５】
かかる課題を解決した本考案の構成は、
１）  肛門洗浄ノズルと温水タンクと同温水タンク内の温水を肛門洗浄ノズルへ供給する温水供給路とを備えた温水洗浄便座において、温水供給路に分岐路を設け、肛門に挿入する腸内洗浄ノズルを可撓性を有するホースの先端に設け、ホースの後端を前記分岐路にカップリングで脱着自在に接続し、温水供給路に肛門洗浄ノズルと腸内洗浄ノズルへの温水供給の切換手段を設け、腸内洗浄ノズルを肛門に挿入して温水を直腸へ注入して腸内を洗浄できるようにしたことを特徴とする、腸内洗浄装置付き温水洗浄便座
２）  肛門に挿入する腸内物排出ノズルを可撓性を有するホースの先端に設け、ホースの後端とカップリングを介して脱着自在に接続する腸内物吸引用の吸引ポンプを設け、吸引ポンプで吸引した腸内物を便器へ排出する排出路を設けた、前記１）記載の腸内洗浄装置付き温水洗浄便座
３）  腸内洗浄ノズルと腸内物排出ノズルの外周に挿入深さを規制する拡径したストッパを形成した、前記２）記載の腸内洗浄装置付き温水洗浄便座
４）  腸内洗浄ノズルのホースの途中を切換弁付きの二又具で分岐させ、分岐路にカップリングを備えた別体の可撓性のホースを設け、分岐した他方のホースをカップリングで吸引ポンプに接続し、一方のホースで温水を腸内洗浄ノズルへ供給し、他方のホースで腸内物を吸引ポンプの吸引力で排出し、腸内洗浄ノズルを腸内物排出ノズルとして兼用できるようにした、前記２）又は３）記載の腸内洗浄装置付き温水洗浄便座
５）  腸内洗浄ノズル又は腸内物排出ノズルを上向きに掛止するための掛止凹所が形成された便座に載置できる長さの補助プレートを設け、いずれかのノズルを掛止した補助プレートを便座上に載置して補助プレート上に着座して肛門にノズルを挿入できるようにした、前記２）〜４）いずれか記載の腸内洗浄装置付き温水洗浄便座
にある。
【考案の効果】
【０００６】
本考案によれば、ノズルが可撓性を有するホースに備えているから、使用者がノズルを手に持って挿入でき、使用者の体形や着座位置に係らず挿入位置を任意に調整して処置が容易且つ楽に行えるようになる。また、注入した温水を吸引ポンプで腸内物とともに強制的に排出するようにしたから、排便力の低い人でも腸内物を確実に排出させることができ、洗浄効果を高めることができる。
【考案を実施するための最良の形態】
【０００７】
本考案では、腸内物排出ノズルを備えた可撓性を有するホースと、ホースの後端とカップリングを介して脱着自在に接続する腸内物吸引用の吸引ポンプを設けると、排便力の低い人でも腸内物を残留なく容易に排出でき洗浄効果が向上する。腸内洗浄ノズルのホースの途中を切換弁付きの二又具で分岐させ、分岐路にカップリングを備えた別体の可撓性のホースを設けて吸引ポンプに接続すると、一方のホースで温水を腸内洗浄ノズルへ供給し、他方のホースで腸内物を吸引ポンプの吸引力で排出し、腸内洗浄ノズルを腸内物排出ノズルとして兼用でき効率的である。
【０００８】
また、腸内洗浄ノズル又は腸内物排出ノズルを上向きに掛止するための掛止凹所が形成された便座に載置できる長さの補助プレートを設けると、いずれかのノズルを掛止した補助プレートを便座上に載置して補助プレート上に着座して肛門にノズルを挿入でき、処置中にノズルを手で持っておく必要がなく処置が楽に行える。ホースは引き出し自在の巻取り式にして未使用時にコンパクトに収容できるようにしてもよい。以下、本考案の実施例を図面に基づいて具体的に説明する。
【実施例１】
【０００９】
図１は実施例の腸内洗浄装置付き温水洗浄便座の説明図、図２は実施例の温水供給制御部の説明図、図３は実施例の腸内洗浄ノズルと腸内物排出ノズルの説明図、図４は実施例の補助プレートの説明図、図５は実施例の使用状態を示す説明図である。
【００１０】
図中、１は便器、１ａは蓋、２は便座、３は肛門洗浄ノズル、４は温水タンク、５は温水供給制御部、５ａは制御基盤、５ｂは吐出部、５ｃは供給ポンプ、５ｄは洗浄スイッチ、５ｅは注入スイッチ、５ｆは吸引スイッチ、５ｇは温度調整ダイヤル、５ｈは水量調整ダイヤル、６は吸引ポンプ、６ａは吸引部、６ｂは排出路、７はＡＣアダプター、８はホース、９は腸内洗浄ノズル、９ａはストッパ、９ｂはカップリング、１０はホース、１１は腸内物排出ノズル、１１ａはストッパ、１１ｂはカップリング、１２は補助プレート、１２ａは掛止凹所、Ａは直腸、Ｈは使用者、Ｗは温水である。
【００１１】
本実施例の便器１は、便座２の基端部に肛門へ向けて温水Ｗを吐出する細長の肛門洗浄ノズル３を図示しない電動機構により前後方向へ進退自在に取り付け、肛門洗浄ノズル３に温水Ｗを供給制御する温水供給制御部５を備え、供給する温水Ｗを常時一定量貯留する容量１Ｌの温水タンク４を備えている。温水供給制御部５は、吐出量（水圧），温度調整，供給先の切換の制御を行う制御基盤５ａと温水タンク４内の温水Ｗを吐出する接続部を有した吐出部５ｂと吐出部５ｂ又は肛門洗浄ノズル３に温水Ｗを送り出す供給ポンプ５ｃとを備え、腸内物と温水Ｗを吸引する８Ｌ／分の能力を有する真空式の吸引ポンプ６を備えている。
【００１２】
腸内洗浄ノズル９は長さ４５ｍｍ，外径１２ｍｍで、その外周に挿入深さを規制する拡径した板状のストッパ９ａを備え、長さ１７０〜２００ｍｍの可撓性を有するゴム製のホース８の先端に取り付けられ、ホース８の後端には吐出部５ｂと脱着自在に接続するカップリング９ｂが取り付けられている。腸内物排出ノズル１１は長さ４０ｍｍ，外径１２ｍｍで、その外周にストッパ９ａと同様のストッパ１１ａを備え、カップリング１１ｂを備えた可撓性のホース１０の先端に取り付けられている。腸内物排出ノズル１１の先端は挿入後にラッパ状に開くように弾性を有する素材で形成されている。補助プレート１２は長さ４００ｍｍ，幅２００ｍｍ，厚さ５ｍｍのアクリル板で、中央部に腸内洗浄ノズル９又は腸内物排出ノズル１１の基端部を横方向に挿入して水平状態の補助プレート１２に対して直立させるように掛止する掛止凹所１２ａが形成されている。
【００１３】
以下、洗浄の手順について説明する。まず、温水Ｗの確保の為に予め捨て水を行い、肛門と腸内洗浄ノズル９に潤滑・マッサージクリームを入念に塗って潤滑性を高め、ホース８のカップリング９ｂを吐出部５ｂに確実に接続する。次に、自然排便を試み、残りの便を洗浄により排出するために補助プレート１２を便座２上に載置して腸内洗浄ノズル９を掛止凹所１２ａに直立に掛止し、補助プレート１２上に着座して肛門に腸内洗浄ノズル９をストッパ９ａの位置まで挿入する。
【００１４】
温水供給制御部５の注入スイッチ５ｅをＯＮにするとともに水量調整ダイヤル５ｈで任意の水圧に調整し、温水Ｗを直腸Ａに注入する。注入スイッチ５ｅのＯＮ・ＯＦＦと水量調整ダイヤル５ｈを上手く併用して効率を向上させると良い。注入後は注入スイッチ５ｅをＯＦＦにして両脇腹を入念にマッサージする。便意をもよおせば補助プレート１２をずらし、腸内洗浄ノズル９を肛門から外して排便する。
【００１５】
次に、排出の手順について説明する。腸内物排出ノズル１１に潤滑・マッサージクリームを塗り、ホース１０のカップリング１１ｂを吸引部６ａに接続し、補助プレート１２を便座２上に載置して腸内物排出ノズル１１を掛止凹所１２ａに直立に掛止し、補助プレート１２上に着座して腸内物排出ノズル１１を肛門にストッパ１１ａの位置まで挿入する。
【００１６】
温水供給制御部５の吸引スイッチ５ｆをＯＮにして直腸Ａ内の残りの便及び注入した温水Ｗを排出させる。排出した便及び温水Ｗは排出路６ｂで便器１内に送られる。吸引ポンプ６の吸引力は強いものではないから、前記の温水Ｗの注入と排出の工程を数回繰り返し行うようにする。処置後は肛門洗浄ノズル３で洗浄して入念にマッサージクリームを塗っておき、腸内洗浄ノズル９と腸内物排出ノズル１１及びホース８，１０の内部を洗浄して完了となる。
【００１７】
このように、本実施例によれば使用方法が極めて簡単で、他人の手を要することなく１人で容易に処置できる。特に便秘の解消だけでなく宿便の除去も同時に且つ５分程度と短時間に行え、週に１〜２回の処置で効果が大である。また、装置が予め内蔵されているから特段の設置スペースが不要であり、既存のシャワートイレやウォシュレット等に容易に組み込み、低コストで実施できる。
【００１８】
図６に示すのは、腸内洗浄ノズルを二又具を使用して腸内物排出ノズルとして兼用できるようにした実施例の他の例である。図６は実施例の他の例のホースの説明図である。図中、１３は洗浄排出ノズル、１３ａはストッパ、１４は二又具、１４ａは切換弁である。
【００１９】
図６に示す実施例の他の例では、切換弁１４ａを備えた二又具１４の双方に洗浄用のホース８と排出用のホース１０をそれぞれ取り付け、二又具１４に洗浄と排出を兼用するストッパ１３ａを備えた洗浄排出ノズル１３を取り付ける。使用は、カップリング９ｂ，１１ｂを吐出部５ｂと吸引部６ａにそれぞれ接続し、切換弁１４ａを注入側にして温水Ｗを注入し、切換弁１４ａを排出側にして吸引により排便する。従って、排便時にノズルを差し替えることなく、着座したまま洗浄・排便が連続的に行え、処置がより容易となる。その他、符号、構成、作用効果は実施例と同じである。
【産業上の利用可能性】
【００２０】
本考案の腸内洗浄装置付き温水洗浄便座は、一般家庭用として有用である。
【図面の簡単な説明】
【００２１】
【図１】実施例の腸内洗浄装置付き温水洗浄便座の説明図である。
【図２】実施例の温水供給制御部の説明図である。
【図３】実施例の腸内洗浄ノズルと腸内物排出ノズルの説明図である。
【図４】実施例の補助プレートの説明図である。
【図５】実施例の使用状態を示す説明図である。
【図６】実施例の他の例のホースの説明図である。
【符号の説明】
【００２２】
１  便器
１ａ  蓋
２  便座
３  肛門洗浄ノズル
４  温水タンク
５  温水供給制御部
５ａ  制御基盤
５ｂ  吐出部
５ｃ  供給ポンプ
５ｄ  洗浄スイッチ
５ｅ  注入スイッチ
５ｆ  吸引スイッチ
５ｇ  温度調整ダイヤル
５ｈ  水量調整ダイヤル
６  吸引ポンプ
６ａ  吸引部
６ｂ  排出路
７  ＡＣアダプター
８  ホース
９  腸内洗浄ノズル
９ａ  ストッパ
９ｂ  カップリング
１０  ホース
１１  腸内物排出ノズル
１１ａ  ストッパ
１１ｂ  カップリング
１２  補助プレート
１２ａ  掛止凹所
１３  洗浄排出ノズル
１３ａ  ストッパ
１４  二又具
１４ａ  切換弁
Ａ  直腸
Ｈ  使用者
Ｗ  温水
【図１】
0003113425.tif 000003
【図２】
0003113425.tif 000004
【図３】
0003113425.tif 000005
【図４】
0003113425.tif 000006
【図５】
0003113425.tif 000007
【図６】
0003113425.tif 000008